(57)【要約】      （修正有）【課題】厚さの違い、カバーの有無などに拘わらず、携帯型電子機器の背面が背当部側に確実に安定してセットすることのできるドックスタンドを提供する。【解決手段】ハウジング３８の台座部にコネクタを設け、このコネクタに挿入接続した携帯型電子機器を背当部４０に立てかけてセットするドックスタンドにおいて、前記台座部における前記背当部の前部に位置して突出窓を形成し、この突出窓４７に臨ませて前記台座部の下面に設けた突起部４９に、前記台座部との間で摺動用の溝部を形成する受け板５１を当接し、前記摺動用の溝部に、前記コネクタを前記突出窓から突出するように取り付けた摺動板４４を前記背当部と略直交する方向に摺動自在に嵌合し、前記突起部に、前記ハウジングの底板部と前記受け板とをねじ５３で固着するとともに、このねじで前記溝部における摺動板の接触状態を調整可能に設ける。【選択図】図３
0003167730.tif 000002
【実用新案登録請求の範囲】
【請求項１】
ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記台座部における前記背当部の前部に位置して突出窓を形成し、この突出窓に臨ませて前記台座部の下面に設けた突起部に、前記台座部との間で摺動用の溝部を形成する受け板を当接し、前記摺動用の溝部に、前記コネクタを前記突出窓から突出するように取り付けた摺動板を前記背当部と略直交する方向に摺動自在に嵌合し、前記突起部に、前記ハウジングの底板部と前記受け板とをねじで固着するとともに、このねじで前記溝部における摺動板の接触状態を調整可能に設けたことを特徴とする携帯型電子機器用ドックスタンド。
【請求項２】
台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面に摺動レールを設け、前記受け板の上面にレール溝を設け、このレール溝に前記摺動レールを嵌合して、コネクタを搭載した摺動板が前記台座部の下面の摺動突条に接しながら摺動することを可能にしたことを特徴とする請求項１記載の携帯型電子機器用ドックスタンド。
【請求項３】
台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面にレール溝を設け、前記受け板の上面に摺動レールを設け、前記レール溝に摺動レールを嵌合して、コネクタを搭載した摺動板が前記台座部の下面の摺動突条に接しながら摺動することを可能にしたことを特徴とする請求項１記載の携帯型電子機器用ドックスタンド。
【請求項４】
コネクタに下向きに一体に設けたＰＣ板を摺動板の下方に向けて突出して取り付け、ハウジングの側面に設けたＵＳＢコネクタにＰＣ板を取り付け、前記コネクタのＰＣ板と前記ＵＳＢコネクタのＰＣ板の間を、弾性の少ないリード線を長さに余裕を持って接続したことを特徴とする請求項１，２又は３記載の携帯型電子機器用ドックスタンド。
【考案の詳細な説明】
【技術分野】
【０００１】
本考案は、厚さ、大きさなどに違いのある携帯型電子機器やカバーをかけたままの携帯型電子機器でも立て置きにセットすることのできる携帯型電子機器用ドックスタンドに関するものである。
【背景技術】
【０００２】
従来、この種の携帯型電子機器用スタンドには、図６に示すものが知られている（特許文献１）。
この図６において、スタンド１１の上にクレードル１０が載せられており、このクレードル１０は、台座部１２と背当部１４でＬ字状に形成され、前記台座部１２の上面にはコネクタ１３が設けられている。このコネクタ１３に、携帯型電子機器１６のコネクタ１７を差し込み接続する。このとき、コネクタ１７から携帯型電子機器１６の背面までの距離Ｗよりもコネクタ１７から背当ねじ１５までの距離Ｌが長くて携帯型電子機器１６の背面が背当ねじ１５に当接しないときは、携帯型電子機器１６が不安定になり、コネクタ１３と１７の接続部分に異常な力がかかり、故障の原因になる。そこで、背当部１４にねじ込まれている背当ねじ１５をＷ＝Ｌとなるように突出させることにより安定したセット状態とする。
【先行技術文献】
【特許文献】
【０００３】
【特許文献１】特開２０１０−５６９６９号公報
【考案の概要】
【考案が解決しようとする課題】
【０００４】
図５に示した従来のものは、携帯型電子機器１６のコネクタ１７をクレードル１０のコネクタ１３に差し込んだとき、台座部１２と携帯型電子機器１６が直角になるように背当ねじ１５のねじ部分を回して突出させるか退出させるかして携帯型電子機器１６の背面に背当ねじ１５の先端を当接させるための調整が必要となる。
このような調整方法では、携帯型電子機器１６の厚さの違い、携帯型電子機器１６のカバーの有無などによりその都度背当ねじ１５を進退するという面倒な操作が必要となるという問題があった。
【０００５】
本考案は、携帯型電子機器の厚さの違い、カバーの有無などに拘わらず、携帯型電子機器のコネクタと台座部のコネクタが確実に接続し、かつ、携帯型電子機器の背面が背当部側に確実に安定して接触することのできる携帯型電子機器用ドックスタンドを提供しようとするものである。
【課題を解決するための手段】
【０００６】
本考案による携帯型電子機器用ドックスタンドは、ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記台座部における前記背当部の前部に位置して突出窓を形成し、この突出窓に臨ませて前記台座部の下面に設けた突起部に、前記台座部との間で摺動用の溝部を形成する受け板を当接し、前記摺動用の溝部に、前記コネクタを前記突出窓から突出するように取り付けた摺動板を前記背当部と略直交する方向に摺動自在に嵌合し、前記突起部に、前記ハウジングの底板部と前記受け板とをねじで固着するとともに、このねじで前記溝部における摺動板の接触状態を調整可能に設けたことを特徴とする。
【０００７】
台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面に摺動レールを設け、前記受け板の上面にレール溝を設け、このレール溝に前記摺動レールを嵌合して、コネクタを搭載した摺動板が前記台座部の下面の摺動突条に接しながら摺動することもできる。
また、台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面にレール溝を設け、前記受け板の上面に摺動レールを設け、前記レール溝に摺動レールを嵌合して、コネクタを搭載した摺動板が前記台座部の下面の摺動突条に接しながら摺動することもできる。
【０００８】
コネクタに下向きに一体に設けたＰＣ板を摺動板の下方に向けて突出して取り付け、ハウジングの側面に設けたＵＳＢコネクタにＰＣ板を取り付け、前記コネクタのＰＣ板と前記ＵＳＢコネクタのＰＣ板の間を、弾性の少ないリード線を長さに余裕を持って接続したことを特徴とする。 
【考案の効果】
【０００９】
請求項１記載の考案によれば、ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記台座部における前記背当部の前部に位置して突出窓を形成し、この突出窓に臨ませて前記台座部の下面に設けた突起部に、前記台座部との間で摺動用の溝部を形成する受け板を当接し、前記摺動用の溝部に、前記コネクタを前記突出窓から突出するように取り付けた摺動板を前記背当部と略直交する方向に摺動自在に嵌合し、前記突起部に、前記ハウジングの底板部と前記受け板とをねじで固着するとともに、このねじで前記溝部における摺動板の接触状態を調整可能に設けたので、携帯型電子機器の厚さ、形状の違い、カバーの有無などに拘わらず、携帯型電子機器のコネクタを台座部のコネクタに挿入接続して、携帯型電子機器の背面をハウジングの背当部側に移動するだけで確実に安定してセットすることができる。また、摺動板の最適な摺動状態をねじの締め付けで調整可能である。さらに、底板の組み立てと受け板の組み立てと摺動板の接触状態の調整をねじだけで行う事ができる。
【００１０】
請求項２記載の考案によれば、台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面に摺動レールを設け、前記受け板の上面にレール溝を設け、このレール溝に前記摺動レールを嵌合して、コネクタを搭載した摺動板が前記台座部の下面の摺動突条に接しながら摺動することを可能にしたので、摺動板が台座部の下面と接する部分は摺動突条だけであり、移動がスムーズに行われ、また、コネクタを取り付けた摺動板を台座部へ取り付けるのに、摺動板を台座部の下から組み込み、受け板を取り付けるだけで簡単に組み立てることができる。
【００１１】
請求項３記載の考案によれば、台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面にレール溝を設け、前記受け板の上面に摺動レールを設け、前記レール溝に摺動レールを嵌合して、コネクタを搭載した摺動板が前記台座部の下面の摺動突条に接しながら摺動することを可能にしたので、摺動板が台座部の下面と接する部分は摺動突条だけであり、移動がスムーズに行われ、また、コネクタを取り付けた摺動板を台座部へ取り付けるのに、摺動板を台座部の下から組み込み、受け板を取り付けるだけで簡単に組み立てることができる。
【００１２】
請求項４記載の考案によれば、コネクタに下向きに一体に設けたＰＣ板を摺動板の下方に向けて突出して取り付け、ハウジングの側面に設けたＵＳＢコネクタにＰＣ板を取り付け、前記コネクタのＰＣ板と前記ＵＳＢコネクタのＰＣ板の間を、弾性の少ないリード線を長さに余裕を持って接続したので、摺動板の前後の移動に伴いリード線が屈曲したり伸ばされたりしても、リード線の弾性が少なく、かつ、ハウジングの内部で屈曲しつつ長さに余裕を持っているので、摺動板は、移動した位置で確実に停止する。
【図面の簡単な説明】
【００１３】
【図１】本考案による携帯型電子機器用ドックスタンドの一実施例を示すもので、図３におけるＡ−Ａ線断面図である。
【図２】本考案による携帯型電子機器用ドックスタンドの底板を除いた底面図である。
【図３】本考案による携帯型電子機器用ドックスタンドの図１におけるＢ−Ｂ線断面図である。
【図４】本考案による携帯型電子機器用ドックスタンドの図１におけるＣ−Ｃ線断面図である。
【図５】本考案による携帯型電子機器用ドックスタンドの斜視図である。
【図６】従来のクレードル１０の側面図である。
【考案を実施するための形態】
【００１４】
本考案の携帯型電子機器用ドックスタンドは、ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記台座部における前記背当部の前部に位置して突出窓を形成し、この突出窓に臨ませて前記台座部の下面に設けた突起部に、前記台座部との間で摺動用の溝部を形成する受け板を当接し、前記摺動用の溝部に、前記コネクタを前記突出窓から突出するように取り付けた摺動板を前記背当部と略直交する方向に摺動自在に嵌合し、前記突起部に、前記ハウジングの底板部と前記受け板とをねじで固着するとともに、このねじで前記溝部における摺動板の接触状態を調整可能に設けたものである。
【００１５】
摺動板の移動のため、台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面に摺動レールを設け、前記受け板の上面にレール溝を設け、このレール溝に前記摺動レールを嵌合して、コネクタを搭載した摺動板が前記台座部の下面の摺動突条に接しながら摺動することを可能にしている。
【００１６】
また、摺動板の移動のため、台座部の摺動板が摺動する下面に、摺動板の摺動方向に伸びた摺動突条を設け、この摺動突条と突起部に取り付けた受け板とで摺動用の溝部を形成し、この摺動用の溝部で摺動する摺動板の下面にレール溝を設け、前記受け板の上面に摺動レールを設け、前記レール溝に摺動レールを嵌合して、コネクタを搭載した摺動板が前記台座部の下面の摺動突条に接しながら摺動することを可能にすることもできる。
【００１７】
摺動板を所定の位置に停止するため、コネクタに下向きに一体に設けたＰＣ板を摺動板の下方に向けて突出して取り付け、ハウジングの側面に設けたＵＳＢコネクタにＰＣ板を取り付け、前記コネクタのＰＣ板と前記ＵＳＢコネクタのＰＣ板の間を、弾性の少ないリード線を長さに余裕を持って接続している。
【実施例１】
【００１８】
本考案による携帯型電子機器用ドックスタンドの一実施例を図１ないし図５に基づき説明する。
図５に示すように、ハウジング３８は、扁平な台座部３９と、この台座部３９の略中央から後方へ約１５の角度で傾斜し、かつ、内側に湾曲した背当部４０とで構成されている。
前記台座部３９には、前記背当部４０のやや前方に背当部４０と同一方向に略４角形の突出窓４７が形成されている。この突出窓４７に臨ませて台座部３９の下方から摺動板４４が前後方向に進退自在に設けられている。この摺動板４４は、図１ないし図４に示すように、前後に移動しても前記突出窓４７から台座部３９の内部が見えないような大きさの平板状をなし、この摺動板４４の中央部に、コネクタ４３が前記背当部４０と略同一方向に傾いてねじ５２で取り付けられ、このコネクタ４３の下部には、ＰＣ板４８がハウジング３８の内部へ突出して取り付けられている。
【００１９】
前記台座部３９の下面には、図２に示すように、前記突出窓４７の両側に２本ずつの摺動突条６０が摺動板４４の摺動方向にわずかに膨出して設けられ、また、これらの摺動突条６０のさらに両側には、それぞれ２個ずつのねじ込み孔を有する突起部４９が設けられている。
前記摺動板４４の両側下面には、前記背当部４０と直交する前後方向に平行に伸びた２本の摺動レール５０が形成され、この摺動板４４は、コネクタ４３が突出窓４７から上方へ突出し、かつ、摺動板４４の上面が前記摺動突条６０に接するように組み込む。この摺動板４４の両側における摺動板４４の左右の摺動レール５０に、前記受け板５１のレール溝５７が嵌合するようにあてがって、ねじ５３で受け板５１を突起部４９に仮止めすることにより、台座部３９の下面の摺動突条６０と受け板５１との間が摺動板４４の摺動用溝部５６となっている。
このようにして、コネクタ４３を搭載した摺動板４４が突出窓４７の範囲内で前後方向に移動できる。
【００２０】
前記ハウジング３８の後部には、ＵＳＢコネクタ４５が取り付けられ、このＵＳＢコネクタ４５の内方に突出したＰＣ板４５と前記コネクタ４３の下方に突出したＰＣ板４８との間が弾性の少ないリード線５４によりハウジング３８の内部で屈曲しつつ長さに余裕を持って接続される。
前記摺動板４４が両側の受け板５１で支えられて仮止めねじ５８で仮止めされた状態で底面から底板部４１を嵌め込む。この底板部４１には、図１及び図３に示すように、内側に突出した底板突起部５９が一体に設けられ、この底板突起部５９の先端が受け板５１と突起部４９に接触するようにしてねじ５３で底板部４１を突起部４９に取り付ける。このとき、ねじ５３の締め付け程度を加減することで底板突起部５９の先端が合成樹脂からなる受け板５１と突起部４９との接触部分の圧接程度を加減して、摺動板４４は、台座部３９の摺動突条６０と受け板５１との間でガタつきなく、かつ、円滑に摺動できるように調整される。
前記ハウジング３８の後方内部には、必要に応じて携帯型電子機器１６をセットしたときの安定のため錘（図示せず）が取り付けられる。
前記底板部４１の下面には、ねじ５３を被覆するように滑り止めシート４２が貼り付けられる。
【００２１】
以上のような構成において、摺動板４４のコネクタ４３を突出窓４７のできるだけ手前に移動させた状態（図３の状態）で、携帯型電子機器１６のコネクタを台座部３９のコネクタ４３に挿入接続する。このとき、携帯型電子機器１６の厚さが薄い場合には、携帯型電子機器１６の背面と背当部４０との間に隙間が生じて不安定な状態にあるので、携帯型電子機器１６をコネクタ４３に挿入接続したままで背当部４０側に移動する。摺動板４４は、その摺動レール５０が受け板５１の溝に嵌合しているので、コネクタ４３が背当部４０と略平衡状態を保って移動し、図４に示すように、摺動板４４がコネクタ４３とともに移動して、携帯型電子機器１６の背面が背当部４０に当接して安定して立て置きにセットされる。摺動板４４は、その上面が台座部３９の摺動突条６０と接触し、かつ、下面の摺動レール５０が受け板５１のレール溝５７に嵌合して円滑に移動できる。
なお、ＵＳＢコネクタ４５のＰＣ板４５と前記コネクタ４３のＰＣ板４８との間がリード線５４により接続されているが、摺動板４４の前後の移動に伴いリード線５４が屈曲したり伸ばされたりしても、リード線５４の弾性が少なく、かつ、ハウジング３８の内部で屈曲しつつ長さに余裕を持っているので、摺動板４４は、移動した位置で停止する。
【００２２】
携帯型電子機器１６の厚さが厚かったり、図３に示すように、携帯型電子機器１６にカバー３５が被せてあったりした場合には、摺動板４４のコネクタ４３をできるだけ手前に移動している状態で、携帯型電子機器１６をコネクタ４３に挿入接続する。このとき、携帯型電子機器１６が厚さの厚い場合であっても、携帯型電子機器１６の背面と背当部４０との間に隙間が生じたら、携帯型電子機器１６をコネクタ４３に挿入したまま背当部４０側に倒して密着させる。すると、摺動板４４がコネクタ４３とともに右方向に移動する。
前記突出窓４７と摺動板４４の大きさは、携帯型電子機器１６の最も厚い場合と薄い場合を想定して決められる。
【００２３】
以上のようにして携帯型電子機器１６を携帯型電子機器用ドックスタンドにセットして携帯型電子機器１６を再生したり、ＵＳＢコネクタ４５から充電したりする。
【００２４】
前記実施例では、摺動板４４に摺動レール５０を形成し、受け板５１にレール溝５７を形成したが、逆に摺動板４４にレール溝５７を形成し、受け板５１に摺動レール５０を形成してもよい。
【符号の説明】
【００２５】
１０…クレードル、１１…スタンド、１２…台座部、１３…コネクタ、１４…背当部、１５…背当ねじ、１６，１６ａ，１６ｂ…携帯型電子機器、３８…ハウジング、３９…台座部、４０…背当部、４１…底板部、４２…滑り止めシート、４３…コネクタ、４４…摺動板、４５…ＵＳＢコネクタ、４６…ＰＣ板、４７…突出窓、４８…ＰＣ板、４９…突起部、５０…摺動レール、５１…受け板、５２…ねじ、５３…ねじ、５４…リード線、５５…カバー、５６…溝部、５７…レール溝、５８…仮止めねじ、５９…底板突起部、６０…摺動突条。
【図１】
0003167730.tif 000003
【図２】
0003167730.tif 000004
【図３】
0003167730.tif 000005
【図４】
0003167730.tif 000006
【図５】
0003167730.tif 000007
【図６】
0003167730.tif 000008